(57)【要約】【目的】  日本髪かつらへの各種の異なる中差しの着脱を簡単にできるようにする。【構成】  日本髪かつらの髷３（髷パット１４）を支える根５の前側に台金１７に固定された中差し係止部材２０を着脱可能に固定する固定部材２１を介して固定して設け、その中差し係止部材２０に中差しの中間部１１ａを嵌合係止させるよとにより、中差しを日本髪かつらに容易且つ確実に装着できるようにした。その固定部材２１として、面状着脱係合部材である雌雄の面ファスナーからなる接合用不織布を用いるとよい。【選択図】        図２
2006257557.tif 000002
【特許請求の範囲】
【請求項１】
台金に前髪，びん，髱，髷を取付けてなる日本髪かつらにおいて、前記髷を支える根の前側に中差しを係止する中差し係止部材を、前記根又は該根を前記台金に固定する部材に対して着脱可能に固定する固定部材を介して設けたことを特徴とする日本髪かつら。
【請求項２】
請求項１記載の日本髪かつらにおいて、前記固定部材が、接合用不織布、両面粘着テープ、弾性を有する凹凸嵌合部材、巻き縛り用ワイヤのいずれかであることを特徴とする日本髪かつら。
【請求項３】
請求項１又は２記載の日本髪かつらにおいて、前記固定部材が一対の面状着脱係合部材からなり、その一方の面状着脱係合部材が前記根又は該根を前記台金に固定する部材の前面に固着され、他方の面状着脱係合部材が前記中差し係止部材の平面状固定部に固着されていることを特徴とする日本髪かつら。
【請求項４】
台金に前髪，びん，髱，髷を取付けてなる日本髪かつらに中差しを装着するための中差し係止用アタッチメントであって、
中差しの長手方向の中間部をくわえるように挟持する中差し係止部と、前記日本髪かつらの前記髷を支える根又は該根を前記台金に固定する部材に固定される固定部とが一体に形成され、該固定部に、前記根又は該根を前記台金に固定する部材の前面に着脱可能に固定するための対をなす固定部材の一方が固着されていることを特徴とする中差し係止用アタッチメント。
【請求項５】
請求項４記載の中差し係止用アタッチメントにおいて、前記中差し係止部と前記固定部とが、弾性を有する金属片を屈曲させて形成されていることを特徴とする中差し係止用アタッチメント。
【請求項６】
請求項４記載の中差し係止用アタッチメントにおいて、前記中差し係止部と前記固定部とが、樹脂によって一体に成形されていることを特徴とする中差し係止用アタッチメント。
【請求項７】
台金に前髪，びん，髱，髷を取付けてなる日本髪かつらに装着される中差しであって、
長手方向の中間部に、前記日本髪かつらの前記根又は該根を前記台金に固定する部材に対して該中差しを着脱可能に固定するための部材が固着されていることを特徴とする中差し。
【発明の詳細な説明】
【技術分野】
【０００１】
この発明は、種類の異なる中差しを任意に装着できる日本髪かつらと、それに適した中差し係止用アタッチメント及び中差しに関する。
【背景技術】
【０００２】
日本髪かつらは結婚式における花嫁などに多く使用されており、地髪で結い上げる日本髪と同様に種々の髪型があるが、高島田が最も一般的である。
そして、最近の日本髪かつらは、後部が回動する台金に、前髪(まえがみ)，鬢(びん)，髷(まげ)及び髱(たぼ)を取付けて構成され、着用者の頭部に装着しやすいように作られている。
髷はその内部の髷パットを一体とする根によって台金上に支持されている。
【０００３】
そして、このような日本髪かつらを使用する場合にも、地髪で日本髪を結った場合と同様に種々の髪飾りや笄類を装着して美しく飾るのが通例である。
その一つとして、髷と根掛によって形成される空間に細長い中差しを通して、その中間部を根の前面に固着して装着し、その中差しの両端部に飾り部材を取付ける。
その他に、前差しや後差し等も装着するが、それらを総称して笄(こうがい)ともいう。
【０００４】
結婚式場などで、花嫁の御色直しの際に洋装から和装に着替える場合、着物の着付けと共に、日本髪かつらの被着とそれに装飾用の笄類を挿着する作業を、短時間で容易且つ確実にきれいに仕上げる必要がある。そのための便宜を計るため、笄類の一種である中差しをワンタッチで確実に根に固定できるようにした日本髪かつらとそれに装着する中差しを、特許文献１に示されているように本発明者が以前に発明し、特許を取得している。
【特許文献１】特公平７−９１６８２号公報
【発明の開示】
【発明が解決しようとする課題】
【０００５】
しかしながら、その日本髪かつらは、中差しを固定する中差し係止部材が髷を支える根を台金に固着する支持金具に固着されて、根と中差し係止部材が台金に一体的に固定されているため、中差しの種類（形状や太さなど）が異なるとそれぞれそれに合った中差し係止部材を取付けた日本髪かつらを用意しなければならないため、かつらの種類が多くなり、利用者の好みやサイズに合ったかつらを提供するのに時間や手間がかかるという不都合があった。
【０００６】
この発明はこのような問題を解消することを目的としてなされたものであり、、種類の異なる中差しを任意に装着できる日本髪かつらと、それに適した中差し係止用アタッチメント及び中差しを提供することを目的とする。
【課題を解決するための手段】
【０００７】
この発明による日本髪かつらは、上記の目的を達成するため、台金に前髪，びん，髱，髷を取付けてなる日本髪かつらであって、髷を支える根の前側に中差しを係止する中差し係止部材を、上記根又は根を上記台金に固定する部材に対して着脱可能に固定する固定部材を介して設けたものである。
【０００８】
上記固定部材は、接合用不織布、両面粘着テープ、弾性を有する凹凸嵌合部材、巻き縛り用ワイヤのいずれかであるればよいが、特に接合用不織布面が好ましい。
これらの日本髪かつらにおいて、上記固定部材が一対の面状着脱係合部材からなり、その一方の面状着脱係合部材が上記根又は該根を上記台金に固定する部材の前面に固着され、他方の面状着脱係合部材が上記中差し係止部材の平面状固定部に固着されているとよい。
【０００９】
この発明による中差し係止用アタッチメントは、台金に前髪，びん，髱，髷を取付けてなる日本髪かつらに中差しを装着するための中差し係止用アタッチメントであって、上記の目的を達成するため、中差しの長手方向の中間部をくわえるように挟持する中差し係止部と、上記日本髪かつらの髷を支える根又は根を上記台金に固定する部材に固定される固定部とが一体に形成され、その固定部に、上記根又は根を上記台金に固定する部材の前面に着脱可能に固定するための対をなす固定部材の一方が固着されている。
上記中差し係止部と固定部とを弾性を有する金属片を屈曲させて形成することができる。あるいは、上記中差し係止部と固定部とを樹脂によって一体に成形することもできる。
【００１０】
この発明による中差しは、台金に前髪，びん，髱，髷を取付けてなる日本髪かつらに装着される中差しであって、上記の目的を達成するため、長手方向の中間部に、上記日本髪かつらの上記根又は根を上記台金に固定する部材に対して該中差しを着脱可能に固定するための部材が固着されている。
【発明の効果】
【００１１】
この発明による日本髪かつらを使用すれば、その中差し係止部材によって中差しをワンタッチあるいは極めて簡単な操作でかつらの根に係止させて固定できる。しかもその中差し係止部材は日本髪かつらの根に着脱可能に固定されているので、中差しの種類や太さに応じた中差し係止部材を選択して固着すれば、好みの中差しを容易に装着することができる。
【００１２】
この発明による中差し係止用アタッチメントは、これだけを中差しの種類に合わせて用意しておけば、必要に応じて使用する中差しに合った中差し係止用アタッチメントをかつらに固着して、それに中差しを係止させることができる。
この発明による中差しは、中差し自体にそれをかつらの根の部分に着脱可能に固定するための部材を備えているので、日本髪かつらへの装着が一層簡単になる。
【発明を実施するための最良の形態】
【００１３】
以下、この発明の実施例を図面に基づいて具体的に説明する。
〔日本髪かつらの実施例〕
図１はこの発明による日本髪かつらの一実施例の全体を示す側面図である。この図１に示す日本髪かつらの髪は、前髪(まえがみ)１，鬢(びん)２，髷(まげ)３，髱(たぼ)４によって構成され、髷３は後述する髷パットを一体とする根５によって支持され、これらの各部が図示しない台金上に一体的に取り付けられて日本髪を形成し、花嫁さん等の着用者の頭部に装着しやすいように、髱４の部分が斜め下方にスライド及び上方に回動可能に作られている。
【００１４】
この日本髪かつらの前側には前髪１を図示していない元結いで結び、髷３にはね元結９を結び、根１５の前面側を除く周囲には紙又は布製の装飾カバーである根掛け１５を巻き付け、その前側をゴム紐とフックで根５に止めている。
その根５の前側に、前述した細長い中差しの中間部を係止する中差し係止部材２０を着脱可能に固定して設けている。
【００１５】
このような日本髪かつらを使用する場合にも、種々の髪飾りや笄類を装着して美しく飾るのが通例である。すなわち、一般に図１に示す日本髪かつらの前側の前髪１を元結いで結んだところに前髪飾り６を止め、その後に櫛(くし)を差し、前髪１の両側に一対の前差しを差す。後側では、髷３と根５によって作られる空間部に中差しを挿入し、根５の前側に設けられた中差し係止部材２０に中間部を嵌入係止させて装着する。また、鬢２と髱４との間に一対の後差しを差す。
【００１６】
図２はこの日本髪かつらの要部を毛髪を除いて内部構造を示す拡大側面図である。なお、図２は図１と左右の向きが反対になっている。
根５は、金属（アルミニウムが軽くてよい）製の筒状の部材の内部に、補強金具１６が一体に固着されており、その補強金具１６の下部に台金１７にねじ止めするためのねじ孔が形成されている。その円筒状の部材内には、発泡スチロール等の軽い樹脂製の髷パット１４の後部（図１では右側が前部で左側が後部）下面から下方に柱状に突設された根部が嵌入固着しており、根５と髷パット１４が一体に構成されている。
【００１７】
さらに、その根５の前面５ａは平面状になっており、そこにＬ字形の支持金具１９が一体に取り付けられている。そして、補強金具１６を止めねじ１８で、支持金具９を止めねじ２３と蝶ナット２４で、それぞれ台金１７に固着することによって、根５と髷パット１４とを一体的に台金１７に固着することができる。そして、支持金具９の平面部上に突出する蝶ナット２４の部分には黒いカバー２５を被せて目隠しする。
【００１８】
根５の外周の支持金具１９を固着した前側部分を除く全面は、その軸線方向に毛並みを揃えた毛髪で被覆されて、毛髪の束のように見せている。髷パット１４の表面全体も毛並みを揃えた毛髪で被覆して図１に示す髷３を形成し、その毛髪の前側下部を仮想線３ａで示すように後方へ延設してさらに根５に沿って上方へ立ち上げて、根５の表面に糊付けしている。
その根５の前面５ａのＬ字形の支持金具１９の立上り部に、中差しを係止する中差し係止部材２０を着脱可能に固定する固定部材２１を介して固定している。
【００１９】
この中差し係止部材２０は、中差しの中間部１１ａ（仮想線で示す）をくわえるように挟持する中差し係止部２０ａと平面状の固定部２０ｂとが、若干弾性を有する金属片を屈曲させて一体に形成されている。
さらに、巻き縛り用のワイヤ２２をその中差し係止部材２０の固定部２０ｂと根５とに共に巻き付けて締めることにより、中差し係止部材２０の固定をより確実にしている。しかし、固定部材２１だけで中差し係止部材２０を根５に充分に固定できる場合には、ワイヤ２２を省略してよい。あるいは、固定部材として巻き縛り用のワイヤ２２のみを使用することも可能である。
【００２０】
なお、この中差し係止部材２０を、根５の前面５ａに固定部材２１だけを介して固定するようにしてもよい。
ここで、中差し係止部材２０を根５に着脱可能に固定する固定部材２１は、工具を使用することなく手作業だけで容易に固定したり、取り外したりすることができるようにする部材である。
【００２１】
その具体例としては、多数のループ状の繊維を設けた雌側の面ファスナーと、多数の鉤状の繊維を設けた雄側の面ファスナーとからなり、この一対の面ファスナーのループ状の繊維と鉤状の繊維とが絡み付くことによって着脱自在となる接合用不織布を用いるとよい。その場合、面状着脱係合部材である雌雄の面ファスナーの一方を根５の前面５ａ又は図示のようにＬ字形の支持金具１９の根５に沿って立上った部分に接着して固着し、他方を中差し係止部材２０の平面状の固定部２０ｂに接着して固着するとよい。
【００２２】
固定部材２１のその他の例としては、両面粘着テープや、弾性を有する凹凸嵌合部材による対の面状着脱係合部材、樹脂等のクリップ、乾燥しない粘着剤を塗布した粘着面部材などを使用することができる。
いずれにしても、その固定部材２１が一対の面状着脱係合部材からなる場合には、その一方の面状着脱係合部材をかつらの根５又は根５を台金１７に固定する部材（この例では支持金具１９）の前面に固着し、他方の面状着脱係合部材を中差し係止部材２０の平面状固定部２０ｂに固着する。
【００２３】
図３は、この日本髪かつらの根５の前面５ａに中差し係止部材２０を固定して、その中差し係止部材２０に細長い中差し１１の幾分細くなった中間部１１ａを係止させた状態を、中差し挿着方向から見た図である。この中差し１１の両端部付近には、それぞれ着脱可能な飾り部材を取付ける。さらに、房飾りを吊り下げることもできる。
このように、この実施例の日本髪かつらを用いれば、中差しを取り付けるために、ゴム紐の両端にフックを取り付けた笄止めを使用する必要がなくなり、それによる面倒な取り付け作業も不要になるので、中差し１１の着脱を簡単に短時間で行なえるようになる。また、笄止めの分だけ１セットの笄類の部材点数が減少する。
【００２４】
さらに、中差し係止部材２０が若干可撓性を有する金属片で形成されているので、中差し１１の着脱が容易で装着時の保持が確実になるばかりか、比較的長い中差しが何かに触れたりして外力が加わってもそれを吸収することができ、かつらを傷めたり、着用者に不快感を与えたりすることがなくなる。また、着用者の動きによって中差し１１に多少の揺れが生じて優雅さを増すこともできる。
【００２５】
また、太さや形状が異なる中差しを装着する際には、中差し係止部材２０を根５の前面５ａ又はＬ字形の支持金具１９の立上り部から引きはがし、装着する中差し１１の中間部１１ａの形状や大きさに合った中差し係止部材２０に取付け替えればよい。したがって、中差し係止部材２０だけを、中差し係止部２０ａの形状や大きさが異なるものを各種用意しておけば、同じかつらにそれを選択して付け替えるだけで、種々の中差しを装着することができる。
【００２６】
次に、この発明による日本髪かつらの他の実施例を説明する。
図４はその日本髪かつらを示す図２と同様な拡大側面図であり、図５はその中差し係止部材に中差しを係止させた状態を中差し挿着方向から見た図３と同様な図である。これらの図において、図２及び図３と同じ部分には同一の符号を付してあり、それらの説明は省略する。
【００２７】
この実施例において、前述の実施例と相違するのは、中差し係止部材３０とそれを根５の前面５ａに沿って取付けられたＬ字形の支持金具１９の立上り面に着脱可能に固定する固定部材２１′だけである。
この実施例の中差し係止部材３０は、発泡樹脂によって不等辺三角柱状に成形され、その斜辺の面からその面に垂直な方向に稜線方向（紙面に垂直な方向）に沿って溝を形成し、その溝を中差し係止部３０ａとしている。そして、長辺の面部が固定部３０ｂとなり、そこに固定部材２１′を設けている。この固定部材２１′としては、両面接着テープを貼りつけたり、乾燥しない粘着剤を塗布するとよいが、前述の実施例と同じく接合用不織布の一方の面ファスナーや、凹凸嵌合する対の面状着脱係合部材の一方であってもよい。
【００２８】
この中差し係止部材３０が、固定部材２１′を介して、根５の前面５ａに沿う支持金具１９の立上り面に着脱可能に固定されている。この中差し係止部材３０を、固定部材２１′を介して 根５の金属製の筒状部材の前面５ａに固定してもよい。
そして、この中差し係止部材３０の溝による中差し係止部３０ａに中差し１１の中間部１１ａを嵌入させれば、図５に示すように中差し１１をかつらの根５の前面５ａ側に確実に係止して装着することができる。
【００２９】
中差し１１の種類や中間部の１１ａの太さに応じて、かつらの根５に固定する中差し係止部材３０を、中差し係止部３０ａの形状が異なるものに付け替えるだけで、各種の中差しを装着できることは、前述の実施例と同様である。
【００３０】
〔中差し係止用アタッチメントの実施例〕
次に、この発明による中差し係止用アタッチメントの実施例について図６及び図７によって説明する。
図５はその一実施例を示す斜視図である。この中差し係止用アタッチメント４０は、図２に示した中差し係止部材２０と同等のものである。
【００３１】
すなわち、この中差し係止用アタッチメント４０は、中差しの長手方向の中間部をくわえるように挟持する中差し係止部４１と、図１及び図２に示した日本髪かつらの髷３（図では髷パット１４）を支える根１５又は根５を台金１７に固定する部材（支持金具１９）に固定される固定部４２とが、若干弾性を有する金属片を屈曲させて一体に形成されている。そして、その固定部４２の背面に、根５又は根５を台金１７に固定する部材の前面に着脱可能に固定するための固定部材４３が固着されている。
【００３２】
例えば、前述した接合用不織布を構成する雌雄の面ファスナーの一方を、固定部材４３として固定部４２の背面に固着している。その場合は、雌雄の面ファスナーの他方を、かつらの根５の前面５ａ側に固着しておく。
したがって、この中差し係止用アタッチメント４０を、図２に示した中差し係止部材２０と同様に、日本髪かつらの根５の前面５ａ側に着脱可能に固定して、その中差し係止部４１に中差し１１の中間部１１ａを嵌め込めば、その弾性によって容易且つ確実に係止させることができる。
【００３３】
図７は中差し係止用アタッチメントの他の実施例を示す斜視図である。この中差し係止用アタッチメント５０は、図４に示した中差し係止部材３０と同等のものである。
すなわち、この中差し係止用アタッチメント５０は、発泡樹脂によって不等辺三角柱状に成形され、その斜辺の面（若干湾曲している）からその面に垂直な方向に稜線方向に沿って溝を形成し、その溝を中差し係止部５１としている。そして、長辺の面部が固定部５２となり、そこに固定部材５３を設けている。この固定部材５３としては、両面接着テープを貼りつけたり、乾燥しない粘着剤を塗布するとよいが、前述の実施例と同じく接合用不織布の一方の面ファスナーや、凹凸嵌合する対の面状着脱係合部材の一方であってもよい。
【００３４】
この中差し係止用アタッチメント５０を、図４に示した中差し係止部材３０と同様に、日本髪かつらの根５の前面５ａ側に着脱可能に固定して、その中差し係止部５１に中差し１１の中間部１１ａを嵌め込めば、その弾性によって容易且つ確実に係止させることができる。
このような中差し係止用アタッチメント４０又は５０を、使用する中差しの種類や中間部の太さなどに合わせて数種類用意しておけば、装着する中差しに合った中差し係止用アタッチメントを日本髪かつらの根の前面側に固定することによって、任意の中差しを簡単且つ確実に装着することができる。
中差し係止用アタッチメントの形状や材質、およびそれを日本髪かつらに着脱可能に固定する固定部材は、上述した実施例のものに限らない。
【００３５】
〔中差しの実施例〕
次に、この発明による中差しの実施例を図８によって説明する。
この中差し６０は、図３および図５に示した中差し１１と同様な細長い中差し本体６１と、図２に示した中差し係止部材２０および図６に示した中差し係止用アタッチメント４０と同様な中差し係止部材６２とが一体に固着されている。
【００３６】
すなわち、中差し本体６１の若干細くなった中間部６１ａに、金属片を屈曲して形成した中差し係止部材６２の係着部６２ａが巻き付いて一体に固着されている。そして、その中差し係止部材６２の平面状に延びた固定部６２の背面に、日本髪かつらの前述した根５又は根５を台金１７に固定する部材の前面に着脱可能に固定するための固定部材６２ｃが固着されている。この固定部材６２ｃは、前述した図２における固定部材２１や図６における固定部材４３と同等である。
【００３７】
このような中差し６０を使用すれば、日本髪かつらに中差し係止部材や中差し係止用アタッチメントを取付ける必要がなく、直接日本髪かつらの根の前側に中差しを容易且つ確実に固定することができる。
なお、この中差しに一体に設ける中差し係止部材は、図４に示した中差し係止部材３０又は図７に示した中差し係止用アタッチメント５０と同様なものでもよいし、それ以外のものでもよいことは勿論である。
【産業上の利用可能性】
【００３８】
この発明は、各種日本髪かつら、特に花嫁用高島田などに利用でき、中差しをワンタッチあるいは極めて簡単な操作でかつらに装着することができる。しかも、種々の異なる種類の中差しに簡単に対応することができる。
この発明による中差し装着用アタッチメント及び中差しも同様に、各種日本髪かつらに利用できる。
【図面の簡単な説明】
【００３９】
【図１】この発明による日本髪かつらの一実施例の全体を示す側面図である。
【図２】同じくその要部を毛髪を除いて内部構造を示す拡大側面図である。
【図３】同じくその中差し係止部材に中差しを係止させた状態を中差し挿着方向から見た図である。
【図４】この発明による日本髪かつらの他の実施例を示す図２と同様な拡大側面図である。
【図５】同じくその中差し係止部材に中差しを係止させた状態を中差し挿着方向から見た図である。
【図６】この発明による中差し係止用アタッチメントの一実施例を示す斜視図である。
【図７】この発明による中差し係止用アタッチメントの他の実施例を示す斜視図である。
【図８】この発明による中差しの一実施例を示す斜視図である。
【符号の説明】
【００４０】
１：前髪（まえがみ）      ２：鬢（びん）        ３：髷（まげ）
３ａ：髷の下側延長部分の髪      ４：髱（たぼ）      ５：根
５ａ：根の前面            ６：前髪飾り              ９：はね元結
１０：根飾り            １１：中差し          １１ａ：中差しの中間部
１１ｂ：飾り部材        １４：髷パット        １５：根掛け
１６：補強金具          １７：台金            １８：止めねじ
１９：支持金具          ２０，３０：中差し係止部材
２０ａ，３０ａ：中差し係止部        ２０ｂ，３０ｂ：固定部
２１，２１′：着脱可能に固定する固定部材      ２２：ワイヤ
２３：止めねじ          ２４：蝶ナット        ２５：カバー
４０，５０：中差し係止用アタッチメント        ４１，５１：中差し係止部
４２，５２：固定部      ４３，５３：固定部材
６０：中差し            ６１：中差し本体          ６２：中差し係止部材
【図１】
2006257557.tif 000003
【図２】
2006257557.tif 000004
【図３】
2006257557.tif 000005
【図４】
2006257557.tif 000006
【図５】
2006257557.tif 000007
【図６】
2006257557.tif 000008
【図７】
2006257557.tif 000009
【図８】
2006257557.tif 000010